(57)【要約】【課題】異常が発生してリセットがかかった場合でも直前の開閉部の状態を保持する。【解決手段】電源制御装置１の制御部２は、例えば外部からネットワークを経由してオンオフ情報が入力されたときに制御信号を生成し、制御部２から特定の開閉部６に対して制御信号を送信することにより、複数の開閉部６を個別に動作させ、情報機器への給電路を開閉してオン・オフ制御を行う。開閉部６においては給電路を開閉するデバイスとしてラッチングリレーを用いている。故に、制御部２にリセットがかかった場合においてもラッチングリレーの動作状態がリセットの前後において変化しないため、直前の開閉部６の状態を保持することができる。【選択図】        図１
2004220121.tif 000002
【特許請求の範囲】
【請求項１】
外部電源からラック内に収納された情報機器への電源供給をオン・オフ制御する電源制御装置であって、外部から入力されるかあるいは内部で発生するオンオフ情報に応じて各情報機器への電源供給状態を制御するための制御信号を生成する制御部と、ネットワーク上の管理端末からネットワーク経由でオンオフ情報を受け取るためのネットワーク接続部と、情報機器の電源ケーブルが接続される複数のコンセント部と、制御信号に応じて外部電源からコンセント部への給電路を開閉する複数の開閉部とを備え、複数の開閉部は、給電路を閉じた状態と開いた状態の何れの状態も無給電で保持可能なラッチング形のデバイスを有することを特徴とする電源制御装置。
【請求項２】
ラッチング形のデバイスとして２巻線形のラッチングリレーを用いることを特徴とする請求項１記載の電源制御装置。
【請求項３】
制御部並びにネットワーク接続部を具備して１乃至複数の情報機器とともにラック内に収納される本体コントローラと、複数のコンセント部及び開閉部を具備して本体コントローラと多芯の通信ケーブルを介して接続される１乃至複数の電源制御ユニットとを備え、制御部で生成された制御信号を通信ケーブルを介して電源制御ユニットに送信する制御信号送信部を本体コントローラに具備してなり、複数の開閉部に固有のアドレスを割り当て、制御部は、制御信号に制御対象の開閉部を指定するためのアドレスを付加することを特徴とする請求項１又は２記載の電源制御装置。
【発明の詳細な説明】
【０００１】
【発明の属する技術分野】
本発明は、ラック内に収納される所謂ラックマウント型のサーバやルータ等の情報機器に対する電源供給をオン・オフ制御する電源制御装置に関するものである。
【０００２】
【従来の技術】
従来より、ラックマウント型のサーバやルータ等の情報機器とともにラック内に収納され、商用電源あるいは無停電電源装置（ＵＰＳ）から各情報機器への電源供給をオン・オフ制御する電源制御装置が提供されている（例えば、特許文献１又は特許文献２参照）。このような電源制御装置では、情報機器の電源プラグが接続される複数個のコンセントを有するとともに、外部から入力されるかあるいは内部で発生するオンオフ情報に応じて各コンセントへの給電を個別にオン・オフすることが可能である。
【０００３】
【特許文献１】
特開平９−１６７０３６号公報（段落００２０−段落００２６、第１図）
【特許文献２】
特開２０００−９２０９２号公報（段落００２４−段落００３１、第１図）
【０００４】
【発明が解決しようとする課題】
ところで、各コンセントへの給電をオン・オフする構成としては、制御の容易さと回路構成の単純さからシングルステーブル形（単安定形）のリレーが利用されてきた。しかしながら、このような単安定形リレーを各コンセントへの給電路を開閉する開閉部に用いた場合、開閉部の開閉を制御する制御系に何らかの異常が生じてリセットがかかると、常開接点を有する単安定形リレーであれば給電路が開いた（オフした）状態になり、常閉接点を有する単安定形リレーであれば給電路が閉じた（オンした）状態となり、制御系に何らかの異常が生じてリセットがかかる前の状態を常に保持することができなかった。
【０００５】
本発明は上記事情に鑑みて為されたものであり、その目的は、異常が発生してリセットがかかった場合でも直前の開閉部の状態を保持することができる電源制御装置を提供することにある。
【０００６】
【課題を解決するための手段】
請求項１の発明は、上記目的を達成するために、外部電源からラック内に収納された情報機器への電源供給をオン・オフ制御する電源制御装置であって、外部から入力されるかあるいは内部で発生するオンオフ情報に応じて各情報機器への電源供給状態を制御するための制御信号を生成する制御部、ネットワーク上の管理端末からネットワーク経由でオンオフ情報を受け取るためのネットワーク接続部を具備する本体コントローラブロックと、情報機器の電源ケーブルが接続される複数のコンセント部、制御信号に応じて外部電源からコンセント部への給電路を開閉する複数の開閉部を具備する電源制御ブロックとを備え、複数の開閉部は、給電路を閉じた状態と開いた状態の何れの状態も無給電で保持可能なラッチング形のデバイスを有することを特徴とする。
【０００７】
請求項２の発明は、請求項１の発明において、ラッチング形のデバイスとして２巻線形のラッチングリレーを用いることを特徴とする。
【０００８】
請求項３の発明は、請求項１又は２の発明において、制御部並びにネットワーク接続部を具備して１乃至複数の情報機器とともにラック内に収納される本体コントローラと、複数のコンセント部及び開閉部を具備して本体コントローラと多芯の通信ケーブルを介して接続される１乃至複数の電源制御ユニットとを備え、制御部で生成された制御信号を通信ケーブルを介して電源制御ユニットに送信する制御信号送信部を本体コントローラに具備してなり、複数の開閉部に固有のアドレスを割り当て、制御部は、制御信号に制御対象の開閉部を指定するためのアドレスを付加することを特徴とする。
【０００９】
【発明の実施の形態】
（実施形態１）
本実施形態の電源制御装置１は、図１に示すようにＣＰＵを主構成要素とするマイクロコンピュータからなり外部から入力されるかあるいは内部で発生するオンオフ情報に応じて各情報機器への電源供給状態を制御するための制御信号を生成する制御部２と、制御部２で実行するプログラム等を記憶するメモリ部３と、現在の標準的なＬＡＮであるイーサネット（Ｒ）に接続するためのネットワーク接続手段たるＬＡＮコントローラ４と、ラック内に収納される情報機器（サーバやルータなど）の電源プラグが接続される複数のコンセント部５と、制御信号に応じて外部電源（商用電源）からコンセント部５への給電路を開閉する複数の開閉部６と、ＬＡＮケーブルに付設されているＲＪ−４５のモジュラプラグが抜き差し自在に接続されるモジュラジャック７とを備える。
【００１０】
制御部２は、メモリ部３に記憶された制御プログラムを実行することで制御信号の生成を含む各種の処理を行う。ここで、メモリ部３に含まれる書き換え可能な不揮発性メモリ（ＥＥＰＲＯＭなど）には、制御部２がＬＡＮコントローラ４を制御するためのドライバや、ＴＣＰ（Ｔｒａｎｓｍｉｓｓｉｎｏｎ  Ｃｏｎｔｒｏｌ  Ｐｒｏｔｏｃｏｌ），ＩＰ（Ｉｎｔｅｒｎｅｔ  Ｐｒｏｔｏｃｏｌ），ＵＤＰ（Ｕｓｅｒ  Ｄａｔａｇｒａｍ  Ｐｒｏｔｏｃｏｌ），ＩＣＭＰ（Ｉｎｔｅｒｎｅｔ  Ｃｏｎｔｏｒｏｌ  Ｍｅｓｓａｇｅ  Ｐｒｏｔｏｃｏｌ），ＳＭＴＰ（Ｓｉｍｐｌｅ  Ｍａｉｌ  Ｔｒａｎｓｆｅｒ  Ｐｒｏｔｏｃｏｌ），Ｔｅｌｎｅｔ，ＨＴＴＰ（Ｈｙｐｅｒｔｅｘｔ  Ｔｒａｎｓｆｅｒ  Ｐｒｏｔｏｃｏｌ），ＳＮＭＰ（ＳｉｍｐｌｅＮｅｔｗｏｒｋ  Ｍａｎｅｇｅｍｅｎｔ  Ｐｒｏｔｏｃｏｌ）などのＴＣＰ／ＩＰ通信におけるプロトコルスタックが格納されており、制御部２の起動後に上記プログラム等がメモリ部３に含まれる主メモリにロードされて実行される。
【００１１】
ＬＡＮコントローラ４は、ＲＪ−４５のモジュラコネクタ（モジュラプラグとモジュラジャック７）を介してＬＡＮケーブルと接続され、制御部２とＬＡＮ上の機器（後述するネットワーク上の管理端末やその他の端末、あるいはサーバなど）との間の通信を制御するものである。ＬＡＮケーブルは、例えば１０ＢＡＳＥ−Ｔや１００ＢＡＳＥ−Ｔなどのイーサネット（Ｒ）のケーブルとして広く用いられているより対線のケーブル（ツイストペアケーブル）であり、両端にＲＪ−４５のモジュラプラグ（図示せず）が付設されている。但し、このようなＬＡＮコントローラ４は従来周知であるから詳細な構成についての図示並びに説明は省略する。
【００１２】
コンセント部５は、情報機器の電源プラグが差込接続される刃受を具備し、開閉部６によって給電路が閉じられているときに商用電源から情報機器に給電可能となっている。また、開閉部６は給電路を閉じた状態と開いた状態の何れの状態も無給電で保持可能なラッチング形のデバイス、例えばラッチングリレー（双安定リレー）を有し、制御部２から与えられる制御信号により動作して給電路を開閉する。
【００１３】
而して、電源制御装置１の制御部２では、例えば外部からネットワークを経由してオンオフ情報が入力されたときに制御信号を生成し、制御部２から特定の開閉部６に対して制御信号を送信することにより、複数の開閉部６を個別に動作させ、情報機器への給電路を開閉してオン・オフ制御を行う。また、マイクロコンピュータに内蔵するタイマを利用して予め設定されたスケジュールに従って制御部２で制御信号を作成し、情報機器の動作をタイマ制御することも可能である。
【００１４】
ここで、ネットワーク上に設置された管理端末（図示せず）にて電源制御装置１の遠隔制御等が可能である。この管理端末はパーソナルコンピュータのような汎用のコンピュータ装置からなり、電源制御装置１の制御部２と同様のプロトコルスタックを実装したオペレーティングシステム（マイクロソフト社のＷＩＮＤＯＷＳ（Ｒ）やＵＮＩＸ（Ｒ）など）を備え、当該オペレーティングシステム上で動作するＷＥＢブラウザやＳＮＭＰマネージャ用のプログラムを実行することで電源制御装置１にオンオフ情報を出力して開閉部６のオン・オフを遠隔制御したり、電源制御装置１における制御状態を監視することができる。すなわち、ＬＡＮあるいはＷＡＮのネットワーク上の電源制御装置１や管理端末には固有のネットワークアドレス（ＩＰアドレス）が割り当てられており、管理端末のＷＥＢブラウザからネットワーク上の電源制御装置１のＩＰアドレスにアクセスすると、電源制御装置１の制御部２がメモリ部３に格納されている制御及び監視用のプログラムを実行し、制御及び監視用のＨＴＭＬ形式のデータをネットワーク経由で管理端末に送信する。このＨＴＭＬ形式のデータは管理端末による電源制御装置１の制御及び監視のためのインタフェースを提供するためのものであって、送信されてきたＨＴＭＬ形式のデータに基づいて管理端末のモニタ上に電源制御装置１における制御状態等がＷＥＢブラウザ上で表示されるとともに、キーボードやマウスを操作して任意の情報機器への電源供給をオン・オフ制御するためのオンオフ情報をＷＥＢブラウザを介して電源制御装置１に送信することができる。
【００１５】
また、制御部２でＳＮＭＰエージェント用のプログラムを実行することにより、ＳＮＭＰマネージャである管理端末でＳＮＭＰエージェントである電源制御装置１の管理情報（開閉部６の動作状態やオン・オフ制御の状態変化が生じた時刻など）をネットワーク経由で容易に取得することができる。なお、ＳＮＭＰを用いた管理機能については従来周知であるから詳細な説明は省略する。
【００１６】
ところで、電源制御装置１から電源供給を受ける情報機器も上記ネットワークに接続されており、各情報機器には固有のネットワークアドレス（ＩＰアドレス）が割り当てられている。そして、電源制御装置１のメモリ部３には、電源供給を行っている制御対象の情報機器に割り当てられたネットワークアドレスを、その情報機器の種類（サーバやルータなど）とともに予め登録している。電源制御装置１の制御部２では、ＩＣＭＰエコーと呼ばれるシーケンスにより情報機器の死活状況、すなわち情報機器が正常に通信可能か否かを監視している。具体的には、制御部２が定期的にｐｉｎｇコマンドを実行し、登録されたネットワークアドレスに対してＬＡＮコントローラ４を介してメッセージを送信し、送信相手の情報機器から応答が返るまでの時間を計測することで当該情報機器の死活状況を判断している。そして、何れかの情報機器が通信不能な状態であることが判明した場合、制御部２では当該情報機器の種類に応じて次のような対処を行う。例えば、対象の情報機器がルータなどのネットワーク機器である場合には、所謂電源リセットによって復帰する可能性があるので、開閉部６に対して制御信号を出力して上記情報機器への電源供給を一旦オフした後に再度オンさせる。一方、対象の情報機器がサーバの場合には安易に電源を切ることはできないので、ネットワーク管理者にサーバの異常を報告するにとどめる。
【００１７】
ところで、電源制御装置１の制御部２に何らかの異常が発生すると制御部２のＣＰＵにリセットがかかることがあるが、開閉部６に常開又は常閉のシングルステーブル形リレー（単安定リレー）を用いていると上記リセットの前後で開閉部６の動作状態が反転してしまう場合がある。したがって、サーバのようにむやみに電源断にできない情報機器を常開形の開閉部６に接続していると、制御部２にリセットがかかることで電源供給が停止してしまう虞がある。しかも、上述のような常開形のリレーの場合には情報機器への通電時に励磁電流を流す必要があるから、常閉形のリレーを用いる場合に比較して情報機器への通電時における開閉部６での発熱が増加してしまうことになる。
【００１８】
しかしながら、本実施形態の電源制御装置１では開閉部６において給電路を開閉するデバイスとしてラッチングリレーを用いているので、制御部２にリセットがかかった場合においてもラッチングリレーの動作状態がリセットの前後において変化しないため、直前の開閉部６の状態を保持することができ、サーバのような情報機器が接続されている場合でも制御部２のリセットによって給電が停止するのを防ぐことができる。しかも、ラッチングリレーは情報機器への通電時にも励磁電流を流す必要がないから、シングルステーブル形リレーを用いる場合に比較して情報機器への通電時における開閉部６での発熱を減少させることができる。
【００１９】
ところで、開閉部６に用いるラッチングリレーとしては１巻線形と２巻線形の何れを用いることも可能であるが、１巻線形においては動作状態を反転させるのに正負両極の制御信号が必要となるが、２巻線形においては単一極性の制御信号で動作状態が反転可能であるから、例えば、単一電源とオープンコレクタ出力の出力ポートから制御信号を出力することができ、１巻線形のラッチングリレーを用いる場合に比較して制御部２の構成が簡略化できるという利点がある。
【００２０】
（実施形態２）
本実施形態の電源制御装置１は、図２に示すように制御部２等を具備して情報機器とともにラック内に収納される本体コントローラＡと、複数のコンセント部５及び開閉部６を具備して本体コントローラＡと多芯の通信ケーブル１１を介して接続される１乃至複数の電源制御ユニットＢとで構成される。但し、本実施形態の基本構成は実施形態１と共通であるから、共通の構成要素には同一の符号を付して説明を省略する。
【００２１】
本体コントローラＡは、制御部２、メモリ部３、ＬＡＮコントローラ４、モジュラジャック７に加えて、制御部２で生成された制御信号を通信ケーブル１１を介して電源制御ユニットＢに送信する制御信号送信部８と、商用電源ＡＣから制御部２の動作電源や開閉部６の動作電源を作成する電源回路部１０とを具備する。制御信号送信部８はオープンコレクタ出力又はリレー出力の複数の出力ポートを有し、制御部２から送られる制御信号を出力ポートから出力するものである。電源回路部１０は、例えば１００Ｖの商用交流電源を降圧し整流平滑並びに安定化することで制御部２や制御信号送信部８の動作電源（電源電圧５Ｖの直流電源）と、開閉部６の動作電源（電源電圧１２Ｖの直流電源）とを作成する。
【００２２】
一方、電源制御ユニットＢは、複数のコンセント部５及び複数の開閉部６に加えて、通信ケーブル１１を介して制御信号を受信する制御信号受信部９を具備する。通信ケーブル１１はＬＡＮ用として通常用いられる８芯のツイストペアケーブルからなる。なお、開閉部６のリレー巻線を励磁するための動作電源が通信ケーブル１１を介して本体コントローラＡの電源回路部１０より供給される。
【００２３】
ここで本実施形態においては、複数の開閉部６に固有のアドレスを割り当て、制御部２が制御対象の開閉部６を指定するためのアドレスを制御信号に付加するようにしている。例えば、通信ケーブル１１の８本の信号線の内で５本の信号線をアドレス指定に用い、残り３本の信号線の１本をオン又はオフの状態指定、他の１本をアドレスが指定された開閉部６のオン又はオフ状態を指定された状態に設定するための状態設定に用いている。つまり、本実施形態においては、２５＝３２通りのアドレスを指定することができるから、最大３２個の開閉部６を個別にオンオフ制御することができる。
【００２４】
具体的に説明すると、複数（最大３２個）の開閉部６に対して「０００００」〜「１１１１１」の３２通りのアドレスを個別に割り当てて本体コントローラＡのメモリ部３及び電源制御ユニットＢのメモリ（図示せず）に格納しておく。そして、制御部２は情報機器の電源制御を行う場合に制御対象の情報機器が接続されている開閉部６のアドレス並びに制御状態（オン又はオフ）を含む制御データを作成して制御信号送信部８から通信ケーブル１１を介して電源制御ユニットＢの制御信号受信部９に送信する。制御信号受信部９では受け取った制御データに含まれるアドレスデータをメモリに格納されているアドレスデータと照合して指定された開閉部６を特定するとともに、制御データに含まれる制御状態と現在の開閉部６の状態を比較して開閉部６を動作させる必要があるか否かを判断する。そして、通信ケーブル１１の信号線を通じて本体コントローラＡから送信された上記状態設定の制御信号を制御信号受信部９で受信すると開閉部６を動作させて上記状態指定で指定された状態（オン又はオフ）に開閉部６を制御するのである。
【００２５】
而して、複数の開閉部６にアドレスを付与せずに通信ケーブル１１の信号線と開閉部６を一対一に対応させた場合に比較して、本実施形態では複数の開閉部６に固有のアドレスを割り当て、制御部２が制御信号に制御対象の開閉部６を指定するためのアドレスを付加するようにしているから、制御対象の開閉部６をアドレスで指定することにより通信ケーブル１１の芯線数に限定されずに制御可能な開閉部６及びコンセント部５の個数を増やすことができる。
【００２６】
【発明の効果】
請求項１の発明は、外部電源からラック内に収納された情報機器への電源供給をオン・オフ制御する電源制御装置であって、外部から入力されるかあるいは内部で発生するオンオフ情報に応じて各情報機器への電源供給状態を制御するための制御信号を生成する制御部、ネットワーク上の管理端末からネットワーク経由でオンオフ情報を受け取るためのネットワーク接続部を具備する本体コントローラブロックと、情報機器の電源ケーブルが接続される複数のコンセント部、制御信号に応じて外部電源からコンセント部への給電路を開閉する複数の開閉部を具備する電源制御ブロックとを備え、複数の開閉部は、給電路を閉じた状態と開いた状態の何れの状態も無給電で保持可能なラッチング形のデバイスを有することを特徴とし、制御部に何らかの異常が発生してリセットがかかった場合でもラッチング形のデバイスの動作状態がリセットの前後において変化しないため、異常発生によるリセットがかかった場合でも直前の開閉部の状態を保持することができる。
【００２７】
請求項２の発明は、請求項１の発明において、ラッチング形のデバイスとして２巻線形のラッチングリレーを用いることを特徴とし、制御信号として単一極性の信号を用いることができるため、制御信号を出力する制御部の構成が簡略化できる。
【００２８】
請求項３の発明は、請求項１又は２の発明において、制御部並びにネットワーク接続部を具備して１乃至複数の情報機器とともにラック内に収納される本体コントローラと、複数のコンセント部及び開閉部を具備して本体コントローラと多芯の通信ケーブルを介して接続される１乃至複数の電源制御ユニットとを備え、制御部で生成された制御信号を通信ケーブルを介して電源制御ユニットに送信する制御信号送信部を本体コントローラに具備してなり、複数の開閉部に固有のアドレスを割り当て、制御部は、制御信号に制御対象の開閉部を指定するためのアドレスを付加することを特徴とし、制御対象の開閉部をアドレスで指定することにより通信ケーブルの芯線数に限定されずに制御可能な開閉部及びコンセント部の個数を増やすことができる。
【図面の簡単な説明】
【図１】実施形態１を示すブロック図である。
【図２】実施形態２を示すブロック図である。
【符号の説明】
１  電源制御装置
２  制御部
３  メモリ部
４  ＬＡＮコントローラ
５  コンセント部
６  開閉部
【図１】
2004220121.tif 000003
【図２】
2004220121.tif 000004